(57)【特許請求の範囲】
【請求項１】
ガス配管が接続される接続筒部がせん収容部の両側に同軸に連通するガス栓本体と、前記せん収容部内に回動自在に収容され且つ一方の接続筒部からせん収容部を介して他方の接続筒部に至るガス流路を開閉するせんと、前記せん収容部の開放端に回動可能に取り付けられて前記せんを回動操作する操作つまみを具備するガス栓を保護するためのガス栓用保護カバーにおいて、
ガス配管又は前記接続筒部に取り付け可能な取付部と、
前記接続筒部を含むガス栓本体と操作つまみからなるガス栓全体の両側方及び操作つまみの頂面側を覆うように配設される断面略コ字状又は断面略Ｕ字状の保護板と、
前記取付部と前記保護板とを連結させる連結部材とからなり、
ガス栓が外部からの熱や衝撃等を受け易い方向に保護板が位置するように、前記保護板は、前記取付部に対して、前記連結部材を介して、ガス流路の方向に、進退移動又は回動自在としたガス栓用保護カバー。
【請求項２】
請求項１に記載のガス栓用保護カバーにおいて、前記連結部材は、前記取付部又は前記保護板のどちらか一方に一体的に設けられ、どちらか他方に進退移動又は回動自在に連結可能としたガス栓用保護カバー。
【請求項３】
請求項１又は２に記載のガス栓用保護カバーにおいて、前記保護板のガス栓側に面している内面に断熱材が設けられているガス栓用保護カバー。
【請求項４】
請求項１から３のいずれかに記載のガス栓用保護カバーにおいて、前記保護板の外面に断熱塗装が施されているガス栓用保護カバー。
【請求項５】
請求項１から４のいずれかに記載の上記ガス栓用保護カバーにおいて、前記保護板は、前記ガス栓の両側方及び操作つまみの頂部側を覆う、断面略コ字状又は略Ｕ字状の金属板からなるガス栓用保護カバー。
【発明の詳細な説明】
【技術分野】
【０００１】
この発明は、ガス栓用保護カバー、特に、ガス栓を外部からの熱や衝撃等から保護するガス栓用保護カバーに関する。
【背景技術】
【０００２】
ガス配管が接続される接続筒部が両側方に連通し且つ上方に開放するせん収容部を具備するガス栓本体と、前記せん収容部内に回動自在に収容されるせんと、せんを回動操作する操作つまみとを備えたガス栓では、一方の接続筒部から、せん収容部内を介して、他方の接続筒部に至るガス流路が形成される。なお、せんにはガス挿通孔が貫通されている。
前記せん収容部は前記上方に向かって拡径するテーパ状内周面を有すると共に、せんは前記テーパ状内周面に沿ったテーパ状外周面を有する逆円錐台形状に形成されているものが一般的である。操作つまみを回動させると、せんは、そのテーパ状外周面を、せん収容部の前記テーパ状内周面に摺接させながらせん収容部内にて回動することとなり、これにより、前記ガス流路が開閉される。
【０００３】
上記構成のガス栓が、屋外にて直射日光に晒されたり、厨房にて加熱された油や湯がかかったり、輻射熱の影響を受けたりすると、外側のガス栓本体が、内部に収容されているせんより先に温度上昇してしまい、これにより熱膨張する。ガス栓本体が先に熱膨張することにより、せん収容部が全体に拡径すると、収容されているせんが、せん収容部の小径部側へ沈み込んでしまう。その状態で、せんが、ガス栓本体に続いて熱膨張すると、せんはせん収容部内に食い込んでしまう。
このような状況が、長期に渡って繰り返し行われると、最終的には、せんは操作つまみによって操作することが困難になってしまう不都合がある。
【０００４】
上記不都合を解消するために、特許文献１に示すような、ガス栓本体に被覆させるカバーを考案した。
上記カバーをガス栓本体に被覆させることにより、直射日光からの熱等が遮断でき、ガス栓本体の温度上昇が穏やかとなり、ガス栓本体とせんとの間に著しい温度差が生じることがない。よって、上記したような、熱膨張したせん収容部へせんが食い込んで、操作不能状態となる不都合を防止することができる。
【先行技術文献】
【特許文献】
【０００５】
【特許文献１】実公昭５６−３２６９４号公報
【発明の概要】
【発明が解決しようとする課題】
【０００６】
しかしながら、上記特許文献１のものでは、カバーはガス栓本体の表面に設けられている突出部に固定させる特別な形状を有し、ガス栓本体の形状や寸法に合わせてカバーの形状や寸法を設定しなければならないため、既存のガス栓本体に装着させることができない。また、上記従来のカバーでは、ガス栓本体は被覆されて保護されるが、操作つまみは被覆されない構造であるから、操作つまみを保護するための保護カバーを別途設けなければならないといった不都合もある。
【０００７】
本発明は、『ガス配管が接続される接続筒部がせん収容部の両側に同軸に連通するガス栓本体と、前記せん収容部内に回動自在に収容され且つ一方の接続筒部からせん収容部を介して他方の接続筒部に至るガス流路を開閉するせんと、前記せん収容部の開放端に回動可能に取り付けられて前記せんを回動操作する操作つまみを具備するガス栓を保護するためのガス栓用保護カバー』において、既設のガス栓に容易に装着できるようにすると共に、外部からの熱や衝撃等の影響を受け易い方向に適宜向きを変えて設置することができるガス栓用保護カバーを提供することを課題とする。
【課題を解決するための手段】
【０００８】
上記課題を解決するために講じた本発明の解決手段は、『ガス配管又は前記接続筒部に取り付け可能な取付部と、
前記接続筒部を含むガス栓本体と操作つまみからなるガス栓全体の両側方及び操作つまみの頂面側を覆うように配設される断面略コ字状又は断面略Ｕ字状の保護板と、
前記取付部と前記保護板とを連結させる連結部材とからなり、
ガス栓が外部からの熱や衝撃等を受け易い方向に保護板が位置するように、前記保護板は、前記取付部に対して、前記連結部材を介して、ガス流路の方向に、進退移動又は回動自在とした』ことを特徴とする。
【０００９】
上記手段は次のように作用する。
既設のガス栓のせん収容部の両側方に突出している一対の接続筒部又はそれに接続されているガス配管に取付部を直接取り付けて固定する。保護板は、前記接続筒部を含むガス栓本体及び操作つまみからなるガス栓全体の両側方と操作つまみの頂面側を覆うように断面略コ字状又は断面略Ｕ字状に設けられ、前記取付部に、連結部材を介して連結される。
このとき、ガス栓の設置場所や位置及びガス栓周りの環境を考慮して、ガス栓が外部からの熱や衝撃等を受け易い方向に保護板が位置するように、保護板を取付部に対して、ガス流路に沿って進退移動させたり、または、連結部材との連結部を回動支点としてガス流路の方向に回動させたりすることにより、保護板をガス栓に対して所定位置又は所定姿勢に位置決めすることができる。また、保護板の進退移動又は回動によって操作つまみを外部に露出できるように設定しておけば、ガス栓の操作時に保護板が邪魔になることがない。
【００１０】
上記ガス栓用保護カバーにおいて、『前記連結部材は、前記取付部又は前記保護板のどちらか一方に一体的に設けられ、どちらか他方に進退移動又は回動自在に連結可能とした』ことが望ましい。
連結部材は、取付部と保護板のどちらかに一体的に設けられているから、取付部をガス配管又は接続筒部に取り付ける作業と、連結部材を取付部又は保護板のどちらかに進退移動または回動可能に取り付ける作業とを行うことにより、保護板を既設のガス栓に進退自在又は回動自在に取り付けることができる。
【００１１】
上記ガス栓用保護カバーにおいて、『前記保護板のガス栓側に面している内面に断熱材が設けられている』ものや、『前記保護板の外面に断熱塗装が施されている』ものでは、直射日光や火炎等からの熱影響に対して効果的にガス栓を保護することができる。
【００１２】
上記ガス栓用保護カバーにおいて、『前記保護板は、前記ガス栓の両側方及び操作つまみの頂部側を覆う、断面略コ字状又は略Ｕ字状の金属板からなる』ことが望ましい。このものでは、ガス栓のほぼ全体を金属板からなる保護板で覆うことができるので、熱や外的衝撃によって保護板が損傷することもなく、ガス栓全体を確実に保護することができる。
【発明の効果】
【００１３】
たとえば、業務用厨房におけるガス栓は、業務用ガス機器からの輻射熱や、厨房機器の使用に伴い加熱された油や湯がかかるような環境に設置されることがある。そこで、本発明のガス栓用保護カバーの取付部を、ガス栓の接続筒部やそれに接続されているガス配管に取り付けると共に、断面略コ字状又は断面略Ｕ字状に設けられた保護板を、熱の影響が及ぶ方向に位置するように、取付部に対してガス流路の方向に進退移動又は回動させて所定位置及び所定姿勢に位置決めする。このように、既存のガス栓にも保護カバーを容易に装着することができる上に、せんが収容されているガス栓本体と操作つまみを含むガス栓全体の両側方及び操作つまみの頂面側を、輻射熱や加熱された油や湯から確実に保護することができる。
保護板は連結部材を介して取付部に対してガス流路の方向に進退移動又は回動自在であるから、ガス栓に設置後も、保護板の位置や姿勢は調整自在であり、ガス栓の周囲の環境の変化に対応できると共に、ガス栓の操作時に操作つまみを保護カバーから露出させることもできるので、使い勝手の良いガス栓カバーを提供することができる。
【００１４】
また、保護板に断熱材を設けたり断熱塗装を施したりしておけば、保護板によってガス栓を熱から確実に保護することができる。
さらに、保護板を断面略コ字状又は略Ｕ字状の金属板から構成するものでは、ガス栓の両側方及び操作つまみの頂面側が保護板によって包囲される態様で保護されることとなるから、厨房における輻射熱や加熱された油や湯による熱から保護される上に、屋外に設置されるガス栓の場合では、直射日光による熱や、雨や潮風、さらには、外的衝撃からも保護することができる。よって、防錆や損傷に対しても有効となる。
【図面の簡単な説明】
【００１５】
【図１】本願発明の第１番目の実施の形態におけるガス栓用保護カバーを装着させたガス栓の側面図であり、図２のＹ−Ｙ断面図である。
【図２】図１のＸ−Ｘ断面図である。
【図３】図１のＺ−Ｚ断面図である。
【図４】図１の状態から保護カバーを移動させた状態を示す説明図である。
【図５】本願発明の第２番目の実施の形態におけるガス栓用保護カバーを装着させた状態の説明図であり、図６のＡ−Ａ断面図である。
【図６】本願発明の第２番目の実施の形態におけるガス栓用保護カバーを装着させた状態を示す側面図である。
【図７】本願発明の第２番目の実施の形態におけるガス栓用保護カバーを装着させた状態の説明図であり、図６のＢ−Ｂ断面図である。
【図８】図６の状態から保護カバーを回動させた状態を示す説明図である。
【発明を実施するための形態】
【００１６】
以下、本願発明の実施の形態を、図面に基づいて説明する。
第１番目の実施の形態のガス栓用保護カバーを装着させるガス栓は、図１に示すように、鋳鉄品としてのガス栓本体(3)と操作つまみ(31)とからなり、ガス栓本体(3)は、上方に開放すると共に逆円錐台形状のせん(図示せず)が略密嵌状態に収容されるせん収容部(30)と、その上方開放端に連続する筒状部(32)とを備えた構成となっており、せん収容部(30)の両側方には、ガス配管(4a)(4b)を接続させるための接続筒部(33a)(33b)が同軸上に連設されている。
【００１７】
筒状部(32)には、操作つまみ(31)が抜止め状態に且つ回動可能に外嵌されており、操作つまみ(31)の操作によって、せんがせん収容部(30)内で９０度回動し、上流側の接続筒部(33a)からせん収容部(30)を介して下流側の接続筒部(33b)に至るガス流路が開閉する。なお、図示しないが、せんの、ガス流路に対応する位置にはガス通過孔が貫通している。
【００１８】
上記ガス栓に装着させる第１番目の実施の形態の保護カバーは、図１〜図３に示すように、ガス栓本体(3)及び操作つまみ(31)の全体の両側方を覆う両側板(1a)(1a)と操作つまみ(31)の上方を覆う上面板(1b)とから下方に開放する断面略コ字状の金属製の保護板(1)と、接続筒部(33a)(33b)に接続されているガス配管(4a)(4b)にそれぞれ外嵌させるＣ字状に開放可能な弾性材料製の一対の取付部(11a)(11b)と、取付部(11a)(11b)の開放端にそれぞれ脚部(14)(14)を介して一体的に連結されて保護板(1)の両側板(1a)(1a)の下端を支持する連結部材(12a)(12b)とから構成されている。
一方の取付部(11a)に連設されている連結部材(12a)は、図２に示すように、両端が略コ字状に屈曲しており、屈曲端部(13)(13)が、両側板(1a)(1a)の下端近傍に、それぞれ、ガス流路に沿って形成されている長孔(10)(10)に外側から内側に向かって差し込まれる構成となっている。これにより、保護板(1)は取付部(11a)と連結部材(12a)を介して連結される。
【００１９】
なお、他方の取付部(11b)に連結されている連結部材(12b)は、図３に示すように、連結部材(12a)のような屈曲端部(13)は形成されておらず、Ｌ字状に屈曲されているだけであり、この先端部近傍部分で保護板(1)の両側板(1a)(1a)の下端を支持している。
【００２０】
この第１番目の実施の形態のガス栓用保護カバーでは、取付部(11a)(11b)とこれに脚部(14)(14)を介して一体に設けられている連結部材(12a)(12a)は弾性材料製としたから、脚部(14)(14)が離反するように、取付部(11a)(11b)の開放端を強制的に開き、既設のガス配管(4a)(4b)に上方から嵌め込んで取り付け、ガス配管(4a)(4b)の下方にて脚部(14)(14)相互を固定ネジ(15)で固定することによって、ガス配管(4a)(4b)の所定位置に固定することが出来る。また、連結部材(12a)も弾性材料製であるから、所定方向に弾性変形させながら両端の屈曲端部(13)(13)を、両側板(1a)(1a)の長孔(10)(10)にそれぞれ外側から内側に向かって差し込むことが出来る。なお、長孔(10)への屈曲端部(13)の差込みは、略コ字状に構成されている保護板(1)の下方開放端間の距離が、連結部材(12a)の両屈曲端部(13)(13)間の距離よりも狭くなるまで、前記下方開放端相互を強制的に近接するように保護板(1)を変形させることにより行っても良い。
【００２１】
上記した要領でガス栓に装着させたガス栓用保護カバーの保護板(1)は、屈曲端部(13)を長孔(10)内で移動させることにより、図４に示すように、ガス栓に対してガス流路に沿って相対移動可能となる。このように、ガス栓において、厨房内にてガス機器による輻射熱に晒されたり、加熱された油や湯がかかり易い方向や、屋外では直射日光が当たり易かったり、外的衝撃を受け易い方向に、保護板(1)をずらすことにより、熱や外的衝撃又は雨や潮風等からガス栓を一層確実に保護することができる。
【００２２】
図４の状態よりも、さらに、図面において右側に保護板(1)を引っ張れば、保護板(1)から操作つまみ(31)を露出させることができ、ガス栓の状態を確認したり、せんの回動操作を実施することができる。
なお、ガス栓の左側に保護板(1)を移動させたい場合は、図１又は図４にて、左側のガス配管(4b)に、屈曲端部(13)を備えた連結部材(12a)が連結している取付部(11a)を外嵌装着させて、ガス栓本体(3)の左側にて、屈曲端部(13)を長孔(10)に挿入させれば良い。
【００２３】
図５〜図８に示すものは、第２番目の実施の形態のガス栓用保護カバーに関するものであり、上記第１番目の実施の形態で採用したものと同じ構造のガス栓に採用する。
第２番目の実施の形態のものでは、取付部(21a)(21b)は、ガス栓本体(3)の接続筒部(33a)(33b)にそれぞれ外嵌させる構成としたもので、六角形の一角が開放する形状に設けられていると共に、その開放部に連続する脚部(24)(24)を固定ネジ(15)でネジ止めして接続筒部(33a)(33b)に固定させている。
【００２４】
取付部(21a)(21b)の脚部(24)(24)に連続する連結部材(22a)(22b)は両端部に略Ｌ字状の屈曲部(23)(23)を有する形状となっており、各屈曲部(23)の所定位置には、ネジ孔(25)が形成されている。
【００２５】
保護カバーの保護板(2)は金属板からなり、接続筒部(33a)(33b)を含むガス栓本体(3)及び操作つまみ(31)の全体の両側方を覆う両側板(2a)(2a)と両側板(2a)(2a)の上方に連続し且つ操作つまみ(31)の上方を覆う円弧状の上面板(2b)とから、下方開放の断面略逆Ｕ字状に形成されている。両側板(2a)(2a)の下端近傍の両側の所定位置には、上記したネジ孔(25)に螺合可能なネジ(26)が挿通可能な４つの挿通孔(20)が貫通している。
【００２６】
図５〜図８に示すものでは、一方の接続筒部(33a)に取り付けられる取付部(21a)に脚部(24)を介して連設させた連結部材(22a)の屈曲部(23)(23)の一方（図５では左側）は、一方の側板(2a)よりも内側に位置させ、他方（図５では右側）は他方の側板(2a)よりも外側に位置させ、内側に位置させた屈曲部(23)のネジ孔(25)を、一方の側板(2a)の下端近傍に設けた挿通孔(20)に対応させ、側板(2a)の外側から、ネジ(26)を挿通孔(20)に挿入させると共に、連結部材(22a)の屈曲部(23)のネジ孔(25)に螺合させる。
【００２７】
また、他方の接続筒部(33b)に取り付けた取付部(21b)に連設させた連結部材(22b)の屈曲部(23)(23)は、図７に示すように、両方共、保護板(2)の両側板(2a)(2a)の外側に位置させる。なお、連結部材(22b)の屈曲部(23)に形成されているネジ孔(25)は、側板(2a)の挿通孔(20)に対応させる必要はない。
これにより、一方の接続筒部(33a)側に取り付けられている取付部(21a)に連続する連結部材(22a)の一方の屈曲部(23)（図５の左側下端、図６の右側下端）のみが、保護板(2)の一方の側板(2a)とネジ止めされる態様となり、他の３つの屈曲部(23)は、側板(2a)の外側に位置して、側板(2a)の下端を連結部材(22a)(22b)で支持する態様となっている。
これにより、この第２番目の実施の形態の保護板(2)は、図８に示すように、ネジ(26)を回動支点として、回動可能となる。
【００２８】
図８のものでは、一方のガス配管(4a)側に回動させているが、他方のガス配管(4b)側に回動させるには、他方の接続筒部(33b)に取り付けた取付部(21b)に連続している連結部材(22b)の一方の屈曲部(23)を保護板(2)の側板(2a)よりも内側に配置し、側板(2a)の挿通孔(20)と屈曲部(23)のネジ孔(25)を合わせてネジ(26)でネジ止めすればよい。
【００２９】
この第２番目の実施の形態では、ネジ(26)の螺合位置に応じて、ネジ(26)を回動支点として、所定の方向に保護板(2)を回動させることができるから、屋内外にて、ガス機器による輻射熱や直射日光等によって高温になり易い方向や、屋外にて雨や潮風が当たり易い方向に、保護板(2)を回動させておけば、ガス栓を確実に保護することができる。
【００３０】
特に、業務用厨房に使用されるガス栓に装着させる保護カバーでは、業務用ガス機器からの強い火炎からの輻射熱や加熱された油や湯がかかることによってガス栓が高温になることを確実に防止するために、上記第１、第２の各実施の形態の保護板(1)(2)の内面に断熱材を設けたり、外面に断熱塗装を施しておくと良い。こうすることにより、厨房において、ガス栓に熱が影響するのを効果的に防止することができると共に、もちろん、屋外に設置されたガス栓に対しても直射日光、雨や潮風、さらには、外的衝撃から効果的に保護することができる。
【００３１】
なお、上記各実施の形態のものでは、取付部(11a)(11b)(21a)(21b)と連結部材(12a)(12b)(22a)(22b)とを一体に形成し、連結部材(12a)(12b)を保護板(1)に対して相対移動可能とすると共に、連結部材(22a)(22b)を保護板(2)に対して回動自在に連結させる構成としたが、取付部(11a)(11b)(21a)(21b)に対して連結部材(12a)(12b)(22a)(22b)を相対移動可能又は回動可能に連結する構成としても良い。
【符号の説明】
【００３２】
(1) ・・・・・・保護板
(11a)(11b)・・・取付部
(12a)(12b)・・・連結部材
(3) ・・・・・・ガス栓本体
(30)・・・・・・せん収容部
(31)・・・・・・操作つまみ
(33a)(33b)・・・接続筒部
(4a)(4b)・・・・ガス配管
【図１】
0006624860.tif 000002
【図２】
0006624860.tif 000003
【図３】
0006624860.tif 000004
【図４】
0006624860.tif 000005
【図５】
0006624860.tif 000006
【図６】
0006624860.tif 000007
【図７】
0006624860.tif 000008
【図８】
0006624860.tif 000009